(57)【特許請求の範囲】
【請求項１】
中空立体形状に形成された遮光ケースカバーと、この遮光ケースカバーの正面に形成された第１開口部と、前記遮光ケースカバーの底面に形成された第２開口部と、前記遮光ケースカバーの内側に遮光ケースカバーのカバー底面の延長線に対して傾斜角度９３°〜１００°で遮光ケースカバーの正面と反対側の遮光ケースカバーの背面に向かって後傾状態に配設されると共に拡大鏡で形成された第１鏡と、前記遮光ケースカバーの内側で前記第１鏡の正面側斜め下方に設けられると共に遮光ケースカバーのカバー底面の延長線に対して傾斜角度１２３°〜１３０°で遮光ケースカバーの正面と反対側の遮光ケースカバーの背面に向かって後傾状態に配設された第２鏡と、前記遮光ケースカバーの内側に設けられた照明装置と、有してなることを特徴とする遠隔視認装置。
【請求項２】
側面視略三角形状に形成された遮光ケースカバーと、この遮光ケースカバーを構成する側面視略三角形状のカバー第１側面及びカバー第２側面と、前記遮光ケースカバーをカバー第１側面とカバー第２側面と共に構成すると共にカバー第１側面とカバー第２側面を連結するカバー背面と、前記遮光ケースカバーに形成されたプリズム収容部と、このプリズム収容部に配設されると共に第１面と第２面と第３面を備え第１面と第２面の内角を６０°，第２面と第３面の内角を９０°，第１面と第３面の内角を３０°にした側面視直角三角形状のプリズムと、前記プリズムの第３面と前記カバー背面との間に設けられた拡大鏡と、前記カバー第１側面又は前記カバー第２側面の少なくとも一方に形成された照明装置収容部と、この照明装置収容部に収容された照明装置と、有してなることを特徴とする遠隔視認装置。
【発明の詳細な説明】
【技術分野】
【０００１】
本発明は、離れた場所にある見たい対象物を見るために使用される遠隔視認装置であって、例えば電気、ガス、水道等の検針メーターに表示される数字や目盛等を見たい場合に使用される遠隔視認装置に関する。
【背景技術】
【０００２】
一般的に電気、ガス、水道等の検針メーターは建物の高所や検針員が進入し難い場所に設置されていることが多い。このため、検針員が検針する場合に前記検針メーターに表示される数字や目盛等を直接見ることができないという不具合がある。
そこで、検針員が見難い場所に設置された検針メーターに表示される数字や目盛等を見易くする装置として検針装置が提案されている（特許文献１）。
この検針装置は把持棒の先端に鏡やプリズムを取り付けて、これら鏡やプリズムを検針メーターの正面に対応させて鏡やプリズムを介して前記検針メーターに表示された数字や目盛等を見ることができるようになっている。従って、前記検針装置を使用すれば検針メーターが建物の高所や検針員が進入し難い場所に設置されていても前記検針装置を利用して検針メーターに表示される数字や目盛を見ることができる。
しかし、この検針装置は把持棒の先端に取り付けられている鏡やプリズムをそのまま利用して成る装置であるため、電気、ガス、水道等の検針メーターの数字や目盛を見る場合に太陽光等の外光が反射すると検針メーターの数字や目盛等が見難いという不具合がある。
また、前記電気、ガス、水道等の検針メーターが暗所に設置されている場合や夜間に前記検針メーターの数字や目盛を見る場合は従来の検針装置では数字や目盛等を見難いという不具合がある。
【先行技術文献】
【特許文献】
【０００３】
【特許文献１】特開平８−２８６１４２号公報
【発明の概要】
【発明が解決しようとする課題】
【０００４】
本発明は、上記事実に鑑みなされたものであり、外光や暗さ等の影響を受けないで離れた場所にある見たい対象物を見ることができる遠隔視認装置を提供するものである。
【課題を解決するための手段】
【０００５】
請求項１の発明は、中空立体形状に形成された遮光ケースカバーと、この遮光ケースカバーの正面に形成された第１開口部と、前記遮光ケースカバーの底面に形成された第２開口部と、前記遮光ケースカバーの内側に遮光ケースカバーのカバー底面の延長線に対して傾斜角度９３°〜１００°で遮光ケースカバーの正面と反対側の遮光ケースカバーの背面に向かって後傾状態に配設されると共に拡大鏡で形成された第１鏡と、前記遮光ケースカバーの内側で前記第１鏡の正面側斜め下方に設けられると共に遮光ケースカバーのカバー底面の延長線に対して傾斜角度１２３°〜１３０°で遮光ケースカバーの正面と反対側の遮光ケースカバーの背面に向かって後傾状態に配設された第２鏡と、前記遮光ケースカバーの内側に設けられた照明装置と、有してなることを特徴としている。
請求項２の発明は、側面視略三角形状に形成された遮光ケースカバーと、この遮光ケースカバーを構成する側面視略三角形状のカバー第１側面及びカバー第２側面と、前記遮光ケースカバーをカバー第１側面とカバー第２側面と共に構成すると共にカバー第１側面とカバー第２側面を連結するカバー背面と、前記遮光ケースカバーに形成されたプリズム収容部と、このプリズム収容部に配設されると共に第１面と第２面と第３面を備え第１面と第２面の内角を６０°，第２面と第３面の内角を９０°，第１面と第３面の内角を３０°にした側面視直角三角形状のプリズムと、前記プリズムの第３面と前記カバー背面との間に設けられた拡大鏡と、前記カバー第１側面又は前記カバー第２側面の少なくとも一方に形成された照明装置収容部と、この照明装置収容部に収容された照明装置と、有してなることを特徴としている。
【発明の効果】
【０００６】
本発明の遠隔視認装置は、遮光ケースカバーが設けられているので、見たい対象物を見る場合に太陽光等の外光に影響されずに見ることができるというという優れた効果を有する。
本発明の遠隔視認装置は、遮光ケースカバーに照明装置が設けられているので、見たい対象物が暗所に設置されている場合や夜間に見たい場合であっても、前記照明装置を点灯させることにより見たい対象物を見ることができるという優れた効果を有する。
請求項３、請求項７の遠隔視認装置は、上記効果の他に見たい対象物を拡大した状態で見ることができるので、確認作業等の作業を正確かつ迅速に行うことができるという優れた効果を有する。
【図面の簡単な説明】
【０００７】
【図１】第１実施例の遠隔視認装置の全体斜視図である。
【図２】第１実施例の遠隔視認装置の遮光ケースカバー周辺の拡大斜視図である。
【図３】第１実施例の遠隔視認装置の遮光ケースカバーの断面側面図である。
【図４】第１実施例の遠隔視認装置の遮光ケースカバー周辺の側面図である。
【図５】第１実施例の遠隔視認装置の使用状態を示す斜視図である。
【図６】第２実施例の遠隔視認装置の遮光ケースカバー周辺の一部断面図である。
【図７】第２実施例の遠隔視認装置の遮光ケースカバーの斜視図である。
【図８】第３実施例の遠隔視認装置の遮光ケースカバー周辺の一部断面図である。
【図９】第３実施例の遠隔視認装置の遮光ケースカバーの斜視図である。
【発明を実施するための形態】
【０００８】
発明を実施するために最良の形態の例として以下のような実施例を示す。
【実施例１】
【０００９】
図１〜図５には本発明に係る遠隔視認装置の第１実施例が示されている。第１実施例の遠隔視認装置は２枚の鏡を使用した遠隔視認装置である。なお、実施例では高所に設置されている電気の検針メーターの検針をする場合を例にして本発明の遠隔視認装置を説明する。
図１には第１実施例の遠隔視認装置１０の全体斜視図が示されている。この遠隔視認装置１０の遮光ケースカバー１２はカバー正面１２Ａ、カバー背面１２Ｂ、カバー天面１２Ｃ、カバー底面１２Ｄ、カバー第１側面１２Ｅ、カバー第２側面１２Ｆを備え、中空で立体的に形成されている。この実施例では前記遮光ケースカバー１２は黒色の合成樹脂材で形成されている。
前記遮光ケースカバー１２のカバー正面１２Ａの上部には第１開口部１４が開口形成されている。
図３に示されるように、前記カバー底面１２Ｄには第２開口部１６が開口形成されている。
前記遮光ケースカバー１２のカバー背面１２Ｂの内側面近傍には電気の検針メーター１（図５参照）の数字や目盛等の対象物を直接映す第１鏡２０が設けられている。この第１鏡２０は表面が凹状にされており拡大鏡となっている。前記第１鏡２０は前記遮光ケースカバー１２のカバー底面１２Ｄの延長線Ｘに対して傾斜角度Ａが９５°に設定された状態で傾斜して設けられている。
前記遮光ケースカバー１２の斜め下方には検針員が直接見る第２鏡２２が設けられている。この第２鏡２２は前記遮光ケースカバー１２のカバー底面１２の延長線Ｘに対して傾斜角度Ｂが１２５°に設定された状態で設けられている。
前記第１鏡２０と前記第２鏡２２は遮光ケースカバー１２のカバー第１側面１２Ｅ及びカバー第２側面１２Ｆに傾斜した状態で刻設された鏡取付溝２４（図３にはカバー第２側面１２Ｆに設けられた鏡取付溝２４のみを示す）に両端部が差し込まれた状態で接着剤によって固定されている。
図１〜図３に示されるように、前記遮光ケースカバー１２のカバー第２側面１２Ｆの内側には照明装置としてのＬＥＤライト装置２６が取り付けられている。なお、このＬＥＤライト装置２６の取付方法は固定でも着脱可能でもよい。
図２に示されるように、このＬＥＤライト装置２６は円盤状のライトカバー２６Ａに内蔵されたＬＥＤランプ２６Ｂと電池（図示せず）とスイッチ２６Ｃを備え、スイッチ２６Ｃを操作することによりＬＥＤランプ２６Ｂを点灯させたり消灯させたりすることができるようになっている。
図４に示されるように、前記遮光ケースカバー１２のカバー背面１２Ｂには取付フレーム２８が突設されている。
図１及び図２に示されるように、遮光ケースカバー１２には棒状保持体３０が公知の自在継手３２を介して取り付けられている。
図１に示されるように、前記棒状保持体３０の円筒状の把持部３４には伸縮自在の円筒状のポール３６が複数連続して伸縮可能に設けられている。このため、これらポール３６を伸ばせば棒状保持体３０は長くなり、これらポール３６を縮ませれば棒状保持体３０は短くなるようになっている。
従って、図５に示されるように前記棒状保持体３０を長く伸ばすことにより検針メーター１が高所に設けられていても検針メーター１の数字や目盛を見て読むことができるようになっている。
図４に示されるように、前記棒状保持体３０の先端に位置したポール３６と前記取付フレーム２８との間には前記自在継手３２が配設されている。この自在継手３２は前記取付フレーム２８と固定された第１ジョイント棒４０と、前記ポール３６に固定された第２ジョイント棒４２と、第１ジョイント棒４０と第２ジョイント棒４２を接続させる接続体４４とから構成されている。
図２に示されるように、前記第１ジョイント棒４０の先端にはボール部４０Ａが一体形成され第２ジョイント棒４２の先端にもボール部４２Ａが一体形成されている。これらボール部４０Ａ、ボール部４２Ａは前記接続体４４の凹部４４Ａ，４４Ａに収容されている。
従って、前記遮光ケースカバー１２は前記自在継手３２を介して棒状保持体３０に対して曲げたり回動させたりすることができるようになっている。
【００１０】
第１実施例の遠隔視認装置１０の作用について説明する。
図５に示されるように、検針員が遠隔視認装置１０を使用して高所に設置されている電気の検針メーター１の検針をする場合は、遠隔視認装置１０の棒状保持体３０を長く伸ばして遮光ケースカバー１２に形成された第１開口部１４を検針メーター１に対応させる。これにより、第１開口部１４を通して第１鏡２０には検針メーター１に表示された数字や目盛が拡大された状態で映され、しかも第１鏡２０を介して第２鏡２２に映し出されるので第２鏡２２に映し出される検針メーター１の数字や目盛は反転していない状態で第２鏡２２に映し出される。
従って、検針員は第２開口部１６を通して第２鏡２２に映し出された検針メーター１の数字や目盛を拡大した状態で見ることができるので、見間違えを防ぐことができると共に迅速に見て読み取ることができる。
また、前記第１鏡２０及び第２鏡２２は遮光ケースカバー１２に内設されているので、太陽光等の外光が第１鏡２０や第２鏡２２に乱反射することを防止できるので、外光の影響を受けることなく検針メーター１の数字や目盛を見ることができる。
しかも、検針メーター１の前面に設けられた透明プラスチック板（図示せず）に太陽光等の外光が反射して検針メーター１の数字や目盛が見難い場合は遮光ケースカバー１２の正面１２Ａを検針メーター１の透明プラスチック板に当接すれば透明プラスチック板による外光の乱反射を抑えることができ、検針メーター１の数字や目盛が見難くなることを防ぐことができる。
また、暗所に設置されている検針メーター１を検針する場合や夜間に検針メーター１を検針する場合はＬＥＤライト装置２６のスイッチ２６ＣをオンにしてＬＥＤランプ２６Ｂを点灯させる。これにより、ＬＥＤライト装置２６のＬＥＤランプ２６Ｂで検針メーター１を照らすことができるので暗所や夜間等でも検針メーター１の数字や目盛を正確に見て読み取ることができる。
【００１１】
図６及び図７には本発明に係る遠隔視認装置の第２実施例が示されている。第２実施例の遠隔視認装置は鏡の代わりにプリズムを使用した遠隔視認装置である。なお、第１実施例の遠隔視認装置１０と同一の構成は同一の符号を用いてその説明を省略する。
図６に示されるように、第２実施例の遠隔視認装置５０の遮光ケースカバー５２には棒状保持体３０が自在継手３２を介して取り付けられている。
図７に示されるように、前記遮光ケースカバー５２は縦長で側面視略直角三角形状に形成されている。この遮光ケースカバー５２は側面視略直角三角形状のカバー第１側面５２Ａと側面視略直角三角形状のカバー第２側面５２Ｂと、カバー第１側面５２Ａとカバー第２側面５２Ｂを連結するカバー背面５２Ｃとから構成されている。また、遮光ケースカバー５２は黒色の合成樹脂材で形成されている。
前記遮光ケースカバー５２にはプリズム収容部５４が形成され、このプリズム収容部５４には側面視直角三角形状で三角柱状のプリズム５６が収容されている。このプリズム５６は接着剤等の適宜固定手段で遮光ケースカバー５２に固定されている。
図６に示されるように、このプリズム５６にはプリズム５６の三辺で傾斜した一番長い第１面５６Ａとプリズム５６の三辺で一番短い第２面５６Ｂが形成されると共に前記遮光ケースカバー５２のカバー背面５２と対応すると共にプリズム５６の三辺で中間長さの第３面５６Ｃが形成されている。なお、前記プリズム５６の第１面５６Ａと第２面５６Ｂの内角Ｃは６０°、第２面５６Ｂと第３面５６Ｃの内角Ｄは９０°、第１面５６Ａと第３面５６Ｃの内角Ｅは３０°、にそれぞれ設定されている
前記遮光ケースカバー５２のカバー背面５２Ｃとプリズム５６の第３面５６Ｃとの間には拡大鏡５８が挟まれた状態で配設されている。
図７に示されるように、前記カバー第１側面５２Ａの肉厚は前記カバー第２側面５２Ｂの肉厚よりも厚く形成されている。このカバー第１側面５２Ａの傾斜面には照明装置収容部６０が形成されている。この照明装置収容部６０には前記ＬＥＤライト装置２６が収容されて取り付けられている。なお、前記カバー第１側面５２Ａにはスイッチ用孔５２Ｄが形成され、ＬＥＤライト装置２６を照明装置収容部６０に取り付けた場合にＬＥＤライト装置２６のスイッチ２６Ｃと対応するようになっている。従って、スイッチ用孔５２Ｄを介してＬＥＤライト装置２６のスイッチ２６Ｃを操作できるようになっている。
なお、前記ＬＥＤライト装置２６はカバー第２側面５２Ｂの肉厚を厚くしてカバー第２側面５２Ｂの傾斜面に照明装置収容部６０し、照明装置収容部６０にＬＥＤライト装置２６を取り付けるようにしてもよい。
第２実施例の遠隔視認装置５０を使用して電気の検針メーター１の検針をする場合は遮光ケースカバー５２に収容されたプリズム５６の第１面５６Ａを電気の検針メーター１に対応させる。これにより、プリズム５６の第２面５６Ｂには検針メーター１に表示された数字や目盛が拡大鏡５８で拡大されて映し出される。
しかも、プリズム５６の第２面５６Ｂには検針メーター１に表示された数字や目盛が反転せずに映し出されるので、検針員は数字や目盛の見間違えを防ぐことができる。
また、前記プリズム５６は遮光ケースカバー５２にカバーされているので、太陽光等の外光の影響を受けることを防止できる。
また、暗所に設置された電気の検針メーター１を検針する場合や夜間に検針する場合はＬＥＤライト装置２６を点灯させることにより、ＬＥＤライト装置２６のＬＥＤランプ２６Ｂで検針メーター１を照らすことができるので検針メーター１の数字や目盛を正確に見て読み取ることができる。
さらに、第２実施例の遠隔視認装置５０は１つのプリズム５６を使用するものであるため、第１鏡２０と第２鏡２２の２つの鏡を使用した第１実施例の遠隔視認装置１０に比べて製造が簡単であると共に製品価格を抑えて提供することができる。
なお、他の構成及び作用、効果は第１実施例の遠隔視認装置１０と同一であるので、その説明は省略する。
【００１２】
図８及び図９には本発明に係る遠隔視認装置の第３実施例が示されている。第３実施例の遠隔視認装置は第２実施例の遠隔視認装置の変形例であり第２実施例の遠隔視認装置と同様に鏡の代わりにプリズムを使用した遠隔視認装置である。なお、第１実施例の遠隔視認装置１０及び第２実施例の遠隔視認装置５０と同一の構成は同一の符号を用いてその説明を省略する。
図８に示されるように、第３実施例の遠隔視認装置７０の遮光ケースカバー７２には棒状保持体３０が自在継手３２を介して取り付けられている。
図９に示されるように、前記遮光ケースカバー７２は横長で側面視略直角三角形状に形成されている。この遮光ケースカバー７２は側面視略直角三角形状のカバー第１側面７２Ａと側面視略直角三角形状のカバー第２側面７２Ｂと、カバー第１側面７２Ａとカバー第２側面７２Ｂを連結するカバー背面７２Ｃとから構成されている。
前記遮光ケースカバー７２にはプリズム収容部７４が形成されている。このプリズム収容部７４には側面視直角三角形状のプリズム５６が収容されている。このプリズム５６は接着剤で遮光ケースカバー７２に固定されている。
図８に示されるように、前記遮光ケースカバー７２のカバー背面７２Ｃとプリズム５６の第３面５６Ｃとの間には拡大鏡５８が挟まれた状態で配設されている。
前記カバー第１側面７２Ａの肉厚は前記カバー第２側面７２Ｂの肉厚よりも厚く形成されている。このカバー第１側面７２Ａの垂直面には照明装置収容部７６が形成されている。この照明装置収容部７６には前記ＬＥＤライト装置２６が取り付けられている。なお、前記カバー第１側面７２Ａにはスイッチ用孔７２Ｄが形成され、ＬＥＤライト装置２６を照明装置収容部７６に取り付けた場合にＬＥＤライト装置２６のスイッチ２６Ｃと対応するようになっている。従って、スイッチ用孔７２Ｄを介してＬＥＤライト装置２６のスイッチ２６Ｃを操作できるようになっている。
第３実施例の遠隔視認装置７０を使用して電気の検針メーター１の検針をする場合は遮光ケースカバー７２に収容されたプリズム５６の第２面５６Ｂを検針メーター１に対応させる。これにより、プリズム５６の第１面５６Ａには検針メーター１に表示された数字や目盛が拡大鏡５８で拡大されて映し出される。
従って、検針員の目には前記検針メーター１の数字や目盛が拡大された状態で見ることができる。また、前記プリズム５６は遮光ケースカバー７２に内設されているので、太陽光等の影響を受けることを防止すると共に遮光ケースカバー７２が検針メーター１の透明プラスチック板が反射するのを防ぐことができる。
また、暗所に設置された電気の検針メーター１を検針する場合や夜間に検針する場合はＬＥＤライト装置２６を点灯させることにより、ＬＥＤライト装置２６のＬＥＤランプ２６Ｂで検針メーター１を照らすことができるので検針メーター１の数字や目盛を正確に見て読み取ることができる。
なお、他の構成及び作用、効果は第１実施例の遠隔視認装置１０及び第２実施例の遠隔視認装置５０と同一であるので、その説明は省略する。
【００１３】
なお、実施例では遮光ケースカバー１２、５２、７２を自在継手３２を介して棒状保持体３０で保持したが、これに限定するのもではなく、例えば自在継手３２に磁石やクリップ等を取り付けて遮光ケースカバー１２、５２を保持するようにしてもよいし、あるいは遮光ケースカバー１２、５２、７２に直接磁石やクリップ等を設けて磁石やクリップ等を介して遮光ケースカバー１２、５２、７２を取り付けるようにしてもよい。
この場合、前記磁石や前記クリップ等を遠隔視認装置１０、５０，７０で見たい対象物の近傍に取り付けることにより遠隔視認装置１０、５０，７０を固定することができる。
【００１４】
なお、第１実施例では遠隔視認装置１０では第１鏡２０を拡大鏡で形成したが、拡大鏡の構造は実施例に示した構造に限定されないことは勿論である。
また、第１実施例では遠隔視認装置１０では第１鏡２０の傾斜角度Ａを９５°に設定し、第２鏡２２の傾斜角度Ｂを１２５°に設定したが、第１鏡２０の傾斜角度Ａ及び第２鏡２２の傾斜角度Ｂは実施例の傾斜角度に限定されるもので無いが、一般的に第１鏡２０の傾斜角度Ａは９３°〜１００°、第２鏡２２の傾斜角度Ｂは１２３°〜１３０°の傾斜角度範囲にするのが見易いため好ましい。
なお、第１実施例の遠隔視認装置１０では照明装置としてＬＥＤライト装置２６を前記遮光ケースカバー１２のカバー第２側面１２Ｆの内側に取り付けたが、ＬＥＤライト装置２６の取付箇所はカバー第１側面１２Ｅ、カバー天面１２Ｃの内側に取り付けても良いことは勿論である。また、前記照明装置としてＬＥＤライト装置２６は遮光ケースカバーに対して固定でも着脱自由に取り付けられるタイプでもよい。
また、第２実施例の遠隔視認装置５０では照明装置としてＬＥＤライト装置２６を遮光ケースカバー５２のカバー第１側面５２Ａに形成された照明装置収容部６０に設けたが、照明装置収容部６０はカバー第２側面５２Ｂに形成してもよい。
また、第３実施例の遠隔視認装置７０では照明装置としてＬＥＤライト装置２６を遮光ケースカバー７２のカバー第１側面７２Ａに形成された照明装置収容部７６に設けたが、照明装置収容部７６はカバー第２側面７２Ｂに形成してもよい。
なお、実施例では遮光ケースカバー１２、５２、７２を合成樹脂材で形成したが遮光ケースカバー１２、５２、７２の材料は合成樹脂材に限定されるものでなく、例えば金属や木材等他の材料で形成してもよいことは勿論である。
また、実施例では照明装置としてＬＥＤライト装置２６を使用したが、照明装置はＬＥＤライト装置２６以外の電球等の照明でもよく、照明装置の構成も実施例で示したＬＥＤライト装置２６の構成に限定されるものでないことは勿論である。
【産業上の利用可能性】
【００１５】
本発明の遠隔視認装置１０，５０，７０は電気、ガス、水道等の検針メーター等の検針作業以外にも使用することができる。例えば、車両のエンジンルーム、水道管、下水管、マンホール等をはじめとして見たい対象物が見難い場所等にある場合にも使用することができる。
【符号の説明】
【００１６】
１０    遠隔視認装置
１２    遮光ケースカバー
１４    第１開口部
１６    第２開口部
２０    第１鏡
２２    第２鏡
２４    鏡取付溝
２６    ＬＥＤライト装置
２８    取付フレーム
３０    棒状保持体
３２    自在継手
３４    把持部
３６    ポール
４０    第１ジョイント棒
４２    第２ジョイント棒
４４    接続体
【図１】
0006037650.tif 000002
【図２】
0006037650.tif 000003
【図３】
0006037650.tif 000004
【図４】
0006037650.tif 000005
【図５】
0006037650.tif 000006
【図６】
0006037650.tif 000007
【図７】
0006037650.tif 000008
【図８】
0006037650.tif 000009
【図９】
0006037650.tif 000010